(57)【要約】  【課題】  展示装置において、所定範囲内の種々のサイズのパネルを、その都度面倒な調整をすることなく、簡単に保持することができるようにする。 【解決手段】  展示装置１は、受け部２３を有するベース部３と、ベース部３に対し上下に摺動可能且つ自重により下方に降下するように設けられ、受け部と対をなす押え部２４を有する延長部２２とを備え、受け部２３に配置されるパネル２６を延長部２２の自重が負荷された状態で押え部２４により保持可能とした。【選択図】          図１
2006223724.tif 000002
【特許請求の範囲】
【請求項１】
受け部を有するベース部と、該ベース部に対し上下に摺動可能且つ自重により下方に降下するように設けられ、前記受け部と対をなす押え部を有する延長部とを備え、
前記受け部に配置されるパネルを前記延長部の自重が負荷された状態で前記押え部により保持可能としたことを特徴とする展示装置。
【請求項２】
前記ベース部は、互いに平行に延びる１対の筒状の第１脚と、該第１脚と上部で回動可能に連結された互いに平行に延びる１対の第２脚とからなり、前記延長部は、前記第１脚内に摺動自在に収容された略逆Ｕ字状のフレームであり、前記受け部は前記第１脚に設けられた第１のフック部であり、前記押え部は前記フレームの上部に設けられた第２のフック部であることを特徴とする請求項１記載の展示装置。
【請求項３】
前記第１脚にはストッパが設けられ、前記第２脚には前記第１脚の間を通過して前記ストッパにより位置決めされる台部が回動可能に軸支され、該台部は前記ストッパにより位置決めされた状態で物品を載置可能としたことを特徴とする請求項２記載の展示装置。
【請求項４】
前記台部は一端部が前記第２脚に軸支された、中間部に架橋部を有する枠部材からなるとともに該枠部材の自由端部に停止部を有し、前記ストッパは、前記台部が前記ストッパに位置決めされた状態で、前記枠部材の前記自由端部が前記枠部材の軸支部より下になるように傾斜させる位置に設けられていることを特徴とする請求項３記載の展示装置。
【請求項５】
前記フレームの上端部に付属品用の取付部が設けられてなることを特徴とする請求項２から４いずれか１項記載の展示装置。
【発明の詳細な説明】
【技術分野】
【０００１】
本発明は展示装置に関するものであり、特にパネル、物品等の展示物を展示するのに用いられる展示装置に関する。
【背景技術】
【０００２】
従来、展示装置として互いに上部で連結された拡開可能な２つのフレームを有し、フレームに設けた幅方向、高さ方向に延びる複数の仕切棒を備えた展示装置が知られている（特許文献１）。この展示装置は、折り畳みが可能で運搬が容易となっている。
【０００３】
また、１対のＵ字型の支持パイプの上部が互いに係止金具で固定され、この係止金具のパイプ挿入孔に逆Ｕ字型吊架枠の両側パイプを挿入した四角い枠型の伸縮スタンドが知られている。（特許文献２）。この吊架枠には係止金具に係止解除するように軸支した係止片が設けられ、係止片の操作により係止枠を伸縮させるようになっている。
【０００４】
また、展示パネルの幅に応じて伸縮可能な枠状の土台とこの土台に起伏自在に枢着した支柱と、この支柱を支える補助支柱と、支柱の上部にパネルを挟むパネル支持具と、土台に取付けられ、土台の伸縮にともなって伸縮するパネル受具とを有するパネル展示用治具が知られている（特許文献３）
【特許文献１】実用新案登録第３０７９８５７号公報（図１、図２）
【特許文献２】実開昭６１−１１２３８１号公報（図３、図６）
【特許文献３】実開昭６２−１４２０８２号公報（図１、図３）
【発明の開示】
【発明が解決しようとする課題】
【０００５】
特許文献１に記載された展示装置は、パネル状の展示物をフレームに取付けるのに、展示物のサイズに合わせて仕切り棒の位置を設定する必要があり操作が面倒である。また、特許文献２に記載された伸縮スタンドは、展示物の大きさに合せて係止片を操作して枠体を移動させる必要があるので、同様に操作が面倒である。また、特許文献３に開示されたパネル展示用治具は、土台の幅は可変であるが、展示物の荷重により、また外力により展示中に幅が広がって、展示物を正しく展示できないおそれがある。
【０００６】
本発明は、以上の点に鑑みてなされたものであり、所定範囲内の種々のサイズのパネルを、その都度面倒な調整をすることなく、簡単に保持することができる展示装置を提供することを目的とする。
【課題を解決するための手段】
【０００７】
本発明の展示装置は、受け部を有するベース部と、ベース部に対し上下に摺動可能且つ自重により下方に降下するように設けられ、受け部と対をなす押え部を有する延長部とを備え、受け部に配置されるパネルを延長部の自重が負荷された状態で押え部により保持可能としたことを特徴とするものである。
【０００８】
本発明の一実施態様として、ベース部は、互いに平行に延びる１対の筒状の第１脚と、第１脚と上部で回動可能に連結された互いに平行に延びる１対の第２脚とからなり、延長部は、第１脚内に摺動自在に収容された略逆Ｕ字状のフレームであり、受け部は第１脚に設けられた第１のフック部であり、押え部はフレームの上部に設けられた第２のフック部とすることができる。
【０００９】
また、第１脚にはストッパが設けられ、第２脚には第１脚の間を通過してストッパにより位置決めされる台部が回動可能に軸支され、台部はストッパにより位置決めされた状態で物品を載置可能とすることができる。
【００１０】
また、台部は一端部が第２脚に軸支された、中間部に架橋部を有する枠部材からなるとともに枠部材の自由端部に停止部を有し、ストッパは、台部がストッパに位置決めされた状態で、枠部材の自由端部が枠部材の軸支部より下になるように傾斜させる位置に設けられていてもよい。
【００１１】
また、フレームの上端部に付属品用の取付部が設けられていてもよい。
【発明の効果】
【００１２】
本発明の展示装置は、受け部を有するベース部と、ベース部に対し自重により下方に降下するように設けられ、押え部を有する延長部とを備え、受け部に配置されるパネルを延長部の自重が負荷された状態で押え部により保持できるように構成されているので、所定範囲内の種々のサイズのパネルを、その都度面倒な調整をすることなく、延長部の自重でパネルを押えることにより簡単に保持することができる。
【００１３】
また、ベース部が、１対の筒状の第１脚と、第１脚と上部で回動可能に連結された１対の第２脚とからなり、延長部が略逆Ｕ字状のフレームであり、受け部が第１脚に設けられた第１のフック部であり、押え部がフレームの上部に設けられた第２のフック部である場合は、前述の効果に加えて、フレームを第１脚に収納し、第１脚と第２脚を畳むことによって展示装置を折り畳んで容易に運搬することができる。
【００１４】
また、第１脚にはストッパが設けられ、第２脚には台部が回動可能に軸支され、台部はストッパにより位置決めされた状態で物品を載置可能とするよう構成されている場合は、パネルを延長部により固定できるとともに、サンプル等の展示物を台部に載置できる、台部が一体の折り畳み可能な展示装置を得ることができる。
【００１５】
また、台部は一端部が第２脚に軸支された、中間部に架橋部を有する枠部材からなるとともに枠部材の自由端部に停止部を有し、ストッパは、枠部材の自由端部が枠部材の軸支部より下になるように傾斜させる位置に設けられている場合には、小さい展示物でも安定して台部に展示できる。
【００１６】
また、フレームの上端部に付属品用の取付部が設けられている場合には、パネルを照射する照明具等の付属品を延長部に取付可能である。
【発明を実施するための最良の形態】
【００１７】
以下、本発明の一例を示す展示装置の好ましい実施の形態について、図１〜図３を参照して詳細に説明する。図１は、使用状態にある展示装置の側面図、図２は図１の展示装置の正面図、図３は折り畳んだ状態の展示装置の側面図である。展示装置１は、前側に位置する平行に配置された金属製の脚（第１脚）２ａ、２ｂと、これらの脚２ａ、２ｂと互いに回動するように上部で連結された後ろ側の脚４ａ、４ｂとを有する。脚２ａ、２ｂおよび脚４ａ、４ｂは断面円形のパイプ状であり、上部に夫々ブラケット６、８が互いの方に向けて突出するように設けられており、これらのブラケット６、８が例えばリベット等の回動軸１０により回動可能に枢着されている。また、脚２ａ、２ｂはこれらの下端近傍で連結棹１２が例えば、ねじ止めにより連結されている。また同様に脚４ａ、４ｂも下端近傍で連結棹１４により互いに連結されている。ここで脚２ａ、２ｂおよび脚４ａ、４ｂはそれぞれ総括して脚２、脚４という。脚２の上端近傍には、パネル２６を受ける受け部即ちフック部（第１のフック部）２３、２３が突設されている。
【００１８】
脚２および脚４の下端には脚２、４の高さ調節のための調節ねじ１６が取り付けられている。また、各脚４ａ、４ｂの高さ方向の中間部の外側には、金属製の板部材である固定バー１８が、例えばねじ止めにより各々回動自在に連結されている。固定バー１８の自由端部には、固定バー１８が水平状態にあるときに下方に開放する切欠１８ａが形成されている。また、この切欠１８ａに対応する脚２ａ、２ｂの位置に切欠１８ａに係合する係止突起２０が突設されている。固定バー１８と係止突起２０の係合により、脚２と脚４は所定の角度で開いた状態に維持される。これらの脚２、４および固定バー１８等によりベース部３が構成される。
【００１９】
脚２は上方に開口するパイプ状であるため、この脚２には略逆Ｕ字状の金属性フレーム（延長部）２２が、そのフレーム２２の両端を脚２ａ、２ｂに挿入して取り付けられる。フレーム２２は、脚２ａ、２ｂと略同じ中心間隔の縦ビーム２２ａ、２２ａと、縦ビーム２２ａ、２２ａ同士を上端で一体に連結する横ビーム２２ｂとを有する。このフレーム２２も脚２と入れ子式のパイプ状である。フレーム２２はその自重により、図３に示すように、脚２内に降下した状態に収納される。しかし、フレーム２２の上端を持って引き上げれば、円滑且つ容易に上方に伸ばすことができる。
【００２０】
フレーム２２の横ビーム２２ｂには、互いに離隔した押え部となるフック部（第２のフック部）２４、２４が形成されている。これらのフック部２４、２４は前述のフック部２３、２３と対を成し、これらフック部２３、２３との間に例えば展示用のパネル２６を配置するようになっている。即ち、フック部２３、２３に載置されたパネル２６は、フック部２４、２４にフレーム２２の荷重がかかった状態で保持される。パネル２６の縦方向の寸法の大小に応じて、フレーム２２は自動的に上下にパネル２６のサイズに合うように調整される。パネル２６の幅は縦ビーム２２ａ、２２ａの間隔より大きければ、縦ビーム２２ａ、２２ａにより支持することができる。従ってパネル２６は、少なくとも左右の縦ビーム２２ａ、２２ａの間隔の幅を有することが好ましい。
【００２１】
次に、脚部４に回動可能に枢着された枠部材（台部）３０について説明する。枠部材３０は四角い形状を呈し、一端部３０ａが脚４に軸（軸支部）３２により枢着され、脚４からフレーム２２および脚２ａ、２ｂの間を通って図１において左回り（反時計回り）に回動することができる。枠部材３０は、断面四角形のパイプから構成され、軸３２と他端部３０ｂとの中間に枠部材３０を連結する架橋部３４が水平方向に連結されている。さらに架橋部３４と他端部３０ｂとの間に支持棹３６が縦方向に連結されている。脚２には軸３２より高さ方向で下になる位置に、枠部材３０を下方から支える停止棹（ストッパ）３８が脚２ａ、２ｂを連結するように形成されている。
【００２２】
枠部材３０には停止棹３８上にあるときに、停止棹３８の両側に位置して枠部材３０の位置決めを確実にする突片５２、５２が突設されている。枠部材３０は使用位置において図１に示すように、やや下向きに傾斜して停止する。この枠部材３０の自由端部となる他端部３０ｂには小片（停止部）４０が上向きに突設されている。この小片４０はサンプル等の展示品４２を枠部材３０に載置したときに枠部材３０から滑り落ちるのを阻止する。小片４０は、本実施形態では、枠部材３０の他端部３０ｂの幅方向に亘って延びているが、部分的に複数箇所形成されてもよい。展示品（物品）４２が、枠部材３０の外形寸法より小さい場合は前述の架橋部３４と支持棹３６により、展示品４２が枠部材３０からすり抜けることなく安定して載置できる。
【００２３】
このフレーム２２には照明具４６等の付属品が取付可能である。以下、この照明具の取り付けについて図４を参照して説明する。図４は、フレーム２２の上部を後ろ側から見た部分拡大斜視図である。フレーム２２の横ビーム２２ｂの後部には、ねじ穴（取付部）４４を適宜設け、このねじ穴４４に照明具４６のブラケット４８をねじ５０によりねじ止めすることができる。このブラケットには、照明具のほかに展示物のタイトル板等の別の付属品を取り付けてもよい。
【００２４】
この展示装置１を、図３に示す折りたたんだ状態から組み立てるには、図１に矢印５４で示すように、脚２、４を広げる。次に矢印５６で示すように固定バー１８を係止突起２０に係止させて脚２、４を所定の角度で固定する。次に矢印５８で示すようにフレーム２２を上方に持ち上げ、フレーム２２を持ち上げた状態で、枠部材３０を脚４側からフレーム２２の内側を通って矢印６０で示すように回動させて、停止棹３８上に固定する。しかる後、フレーム２２のパネル２６を固定し、また展示物４２を枠部材３０に載置する。
【００２５】
本発明の一例となる実施形態について詳細に説明したが、上記実施形態に限定されるものではなく種々の変形、変更が可能であることはいうまでもない。例えば、脚２、４およびフレーム２２は断面円形のパイプとして説明したが、断面矩形でもよい。また、枠部材３０は、溶接により一体に形成してもよいし、ねじ止めにより構成してもよい。またこれらの手法を混在させて構成してもよい。
【図面の簡単な説明】
【００２６】
【図１】本発明の一例となる使用状態にある展示装置の側面図
【図２】図１の展示装置の正面図
【図３】折り畳んだ状態の展示装置の側面図
【図４】フレームの上部を後ろ側から見た部分拡大斜視図
【符号の説明】
【００２７】
１    展示装置
２    第１脚
３    ベース部
４    第２脚
２２    延長部（フレーム）
２３    受け部（第１のフック部）
２４    押え部（第２のフック部）
２６    パネル
３０    台部
３２    軸支部
３４    架橋部
３８    ストッパ
４０    停止部
４２    物品
４４    取付部
４６    照明具
【図１】
2006223724.tif 000003
【図２】
2006223724.tif 000004
【図３】
2006223724.tif 000005
【図４】
2006223724.tif 000006